(57)【要約】      （修正有）【課題】外部気体の排出スピードを向上させるための通過筒を提供すること。【解決手段】気体の通過筒であって、気体の供給口に接続することができ、通過筒の内部は円柱状の空洞となっており、且つ、通過筒の気体の供給口側から他の出口に向けて、前記通過筒の内部の表面に凹部を形成してらせん状のガイドを設ける。【選択図】図１
0003222265.tif 000002
【実用新案登録請求の範囲】
【請求項１】
気体の通過筒であって、気体の供給口に接続することができ、通過筒の内部は円柱状の空洞となっており、且つ、通過筒の気体の供給口側から他の出口に向けて、前記通過筒の内部の表面に凹部を形成してらせん状のガイドを設けることを特徴とする気体の通過筒。
【請求項２】
通過筒の内部は円柱状の空洞の直径と、前記凹部を形成するらせん状のガイドの径の長さが０．５以上となることを特徴とする気体の通過筒。
【請求項３】
前記凹部の断面が略半円であることを特徴とする気体の通過筒。
【考案の詳細な説明】
【技術分野】
【０００１】
本発明は、気体が通過する通過筒に関する。
【背景技術】
【０００２】
各種煙突、各種気体や蒸気の通過筒、または水などの液体の排出のための通路などの通過筒は、これまで、円筒状のもので内部は平面若しくは滑面のものである。
【考案の概要】
【考案が解決しようとする課題】
【０００３】
各種煙突、各種気体や蒸気の通過筒、または水などの液体の排出のための通路については、その流れる気体等が速く移動させることが望まれています。
【０００４】
そのため従来、煙突の場合には、ブロワーなどの動力源を途中に組み入れて、外部の空気を強制的に入れて、ばい煙等の排出スピードを速くするというものがあります。ただし、外部電源が必要となり、エネルギー負担を要します。
【０００５】
本考案の考案者は、蒸気の通過筒の内部の表面に凹部を形成してらせん状のガイドを設けることで、このらせん状のガイドを付けない場合と比して蒸気の排出スピードが速くなることに気が付いた。
【０００６】
そこで、本考案者は、試行錯誤を経て、気体の通過筒であって、気体の供給口に接続することができ、通過筒の内部は円柱状の空洞となっており、且つ、通過筒の気体の供給口側から他の出口に向けて、前記通過筒の内部の表面に凹部を形成してらせん状のガイドを設けることを特徴とする気体の通過筒を考案した。
【課題を解決するための手段】
【０００７】
本発明がその技術的課題を解決するために用いる技術的手段としては、次のようなものである。
【０００８】
すなわち、気体の通過筒であって、気体の供給口に接続することができ、通過筒の内部は円柱状の空洞となっており、且つ、通過筒の気体の供給口側から他の出口に向けて、前記通過筒の内部の表面に凹部を形成してらせん状のガイドを設けることを特徴とする気体の通過筒とする。  
【０００９】
前記凹部の断面が略半円であることを特徴とする気体の通過筒としても良い。また、前記凹部の断面は、四角形状などの多角形でもよく、その形状は様々なものを適用することができる。
【００１０】
前記気体が蒸気であることを特徴とする通過筒としても良い。ここで、蒸気は飽和蒸気でも、過熱蒸気でも良く、この場合には高温の蒸気でも耐えられる素材とする。
【００１１】
通過筒の断面は円形でも、楕円形でも良い。また、通過筒の直径は適宜選択できるものとする。通過筒の内部の表面に凹部を形成してらせん状のガイドでの、凹部の断面積についても適宜選択できるものとして、らせんの勾配、すなわち任意の通過筒に対して、何回転で入口から出口に向かう設計であるかについても適宜選択できるものとする。
【００１２】
通過筒の内部は円柱状の空洞の直径と、前記凹部を形成するらせん状のガイドの径の長さが０．５以上となることを特徴としても良い。
【考案の効果】
【００１３】
このような形状を有する通過筒を用いて、煙突を構築することにより、外部動力を無くす、または、低減させて素早くばい煙を排出させることができるので、環境性能の良い煙突ができ、また、省エネ性能の高い煙突を提供することができる。
【００１４】
また、発電用の蒸気タービンに投入する蒸気についても、この通過筒を通すことで、蒸気の運動特性が向上させることができ、蒸気を発生させるための燃料コストの削減、または、発電効率の向上を実現することができる。
【００１５】
以下、添付図面及び実施例を組み合わせて本発明を更に説明する。
【図面の簡単な説明】
【００１６】
【図１】本考案の実施例の通過筒の説明図
【図２】本考案の通過筒を用いた蒸気排出の様子を観察した実験を示す説明図
【考案を実施するための形態】
【００１７】
本考案の通過筒について説明する。
【００１８】
本考案は、気体の通過筒であって、気体の供給口に接続することができ、通過筒の内部は円柱状の空洞となっており、且つ、通過筒の気体の供給口側から他の出口に向けて、前記通過筒の内部の表面に凹部を形成してらせん状のガイドを設けることを特徴とする気体の通過筒である。
【００１９】
本通過筒の基本形状は、円柱状の筒状のもので、内部に表面に凹部を形成してらせん状のガイドを設けている（図１）。図は、本考案の通過筒の外観を表しており、外部から見ると内部が凹んだ分、外部に凸部が表れていることが分かる。
【００２０】
また、内部の凹部の断面は略半円状で、全体としてらせん状のガイドを構成している。
【００２１】
図２は、本考案の通過筒を用いた蒸気排出の様子を観察した実験を示す説明図である。本考案の通過筒による蒸気の排出スピードの速度変化を観察する目的である。
【００２２】
まず、蒸気を発生させるために開放系の容器に水を入れて、その下部にアルコールランプを置き、水を加熱して飽和蒸気を発生させる。図２では、水を斜線部で示している。これを漏斗状のガイドを介して、本考案の通過筒に蒸気を入れる。発生した蒸気は、すべてこの通過筒に入れるものとする。
【００２３】
実験では、比較対象として、らせん状のガイドの無い通過筒、すなわち、内面が滑面（凸凹の無いもの）である通常の円柱状の通過筒を用意した。いずれの通過筒も、その直径は同一のものとした。本実験では、通過筒の内部は円柱状の空洞の直径は５ｍｍとして、螺旋部分の径は７ｍｍとした。
【００２４】
アルコールランプ、水の量、水を入れた容器、漏斗状のガイドといった通過筒は、すべて同一のものを用意して、通過筒の内部形状の違いのみで、蒸気の排出スピードに違いがでるかを観察した。
【００２５】
蒸気の排出スピードは、デジタル風速計を用いて測定した。本実施例では、「Anemo meter」製の型番「NO.20180325761」を使用した。測定は、十分に蒸気が出て安定した時点で実施した。
【００２６】
通常の円柱状（らせん状のガイドの無い通過筒、内面に凸凹の無いもの）では、0.85 m／sであった。本考案のらせん状のガイドの無い通過筒では、1.46m／sであった。すなわち、本考案により蒸気の排出スピードは、約１．７倍となった。
【図１】
0003222265.tif 000003
【図２】
0003222265.tif 000004
【手続補正書】
【提出日】令和1年5月23日(2019.5.23)
【手続補正１】
【補正対象書類名】実用新案登録請求の範囲
【補正対象項目名】全文
【補正方法】変更
【補正の内容】
【実用新案登録請求の範囲】
【請求項１】
気体の通過筒であって、気体の供給口に接続することができ、通過筒の内部は円柱状の空洞となっており、且つ、通過筒の気体の供給口側から他の出口に向けて、前記通過筒の内部の表面に凹部を形成してらせん状のガイドを設けることを特徴とする気体の通過筒。
【請求項２】
通過筒の内部は円柱状の空洞の直径が、凹部を形成するらせん状のガイドの断面の中心を通る両端の線分である径の長さの０．５以上となることを特徴とする請求項１に記載の気体の通過筒。
【請求項３】
前記凹部の断面が略半円であることを特徴とする請求項１または２のいずれかに記載の気体の通過筒。
【手続補正２】
【補正対象書類名】明細書
【補正対象項目名】００１２
【補正方法】変更
【補正の内容】
【００１２】
通過筒の内部は円柱状の空洞の直径が、凹部を形成するらせん状のガイドの断面の中心を通る両端の線分である径の長さの０．５以上となることを特徴ととなることを特徴としても良い。
【手続補正３】
【補正対象書類名】明細書
【補正対象項目名】００２６
【補正方法】変更
【補正の内容】
【００２６】
通常の円柱状（らせん状のガイドの無い通過筒、内面に凸凹の無いもの）では、0.85 m／sであった。本考案のらせん状のガイドの有する通過筒では、1.46m／sであった。すなわち、本考案により蒸気の排出スピードは、約１．７倍となった。